(57)【要約】【課題】キャリアによるサポートを要することなく、またユーザに手間をかけることなく、自動的に電話番号変更通知を送信できるようにする。【解決手段】現在使用中の第１の電話番号に関する情報を記載した第１の加入者識別カード１０と、現在使用中の電話番号の前に使用していた第２の電話番号に関する情報を記載した第２の加入者識別カード１２を装着可能とした。また、第２の電話番号宛の電話を着信した場合又は第２の電話番号を宛先としたメッセージを受信した場合に、電話番号の変更を知らせる電話番号変更通知を生成するメッセージ生成部１４ａを備えた。さらに、メッセージ生成部１４ａで生成された電話番号変更通知を、第２の電話番号宛の電話の発呼元又は第２の電話番号を宛先としたメッセージの送信元に送信する送受信処理部とを備えた。【選択図】図１
2009267727.tif 000002
【特許請求の範囲】
【請求項１】
現在使用中の第１の電話番号に関する情報を記載した第１の加入者識別カードを装着可能な第１の加入者識別カードインタフェース部と、
前記現在使用中の第１の電話番号の前に使用していた第２の電話番号に関する情報を記載した第２の加入者識別カードを装着可能な第２の加入者識別カードインタフェース部と、
前記第２の電話番号宛の電話を着信した場合又は前記第２の電話番号を宛先としたメッセージを受信した場合に、電話番号の変更を知らせる電話番号変更通知を生成するメッセージ生成部と、
前記メッセージ生成部で生成された電話番号変更通知を、前記第２の電話番号宛の電話の発呼元又は前記第２の電話番号を宛先としたメッセージの送信元に送信する送受信処理部とを備えた
携帯電話端末。
【請求項２】
前記メッセージ生成部は、前記電話番号変更通知内に、前記第１の電話番号と前記第２の電話番号とを記載する
請求項１記載の携帯電話端末。
【請求項３】
前記メッセージは、携帯電話端末同士でやりとりされるショートメッセージである
請求項２記載の携帯電話端末。
【請求項４】
前記送受信処理部は、前記第１の加入者識別カードに記載の内容に基づいてデータの送受信を行い、
前記第２の電話番号宛の電話を、前記送受信処理部に転送する内部転送部を備えた
請求項３記載の携帯電話端末。
【請求項５】
前記ショートメッセージを蓄積するメッセージ蓄積部を備え、
前記内部転送部は、前記第２の電話番号を宛先としたショートメッセージを前記メッセージ蓄積部に転送し、
前記メッセージ生成部は、前記メッセージ蓄積部に蓄積されたショートメッセージに記載の情報を参照して前記電話番号変更通知を生成する
請求項４記載の携帯電話端末。
【請求項６】
他の携帯電話端末の利用者に関する情報を記したアドレス帳と、
前記他の携帯電話端末より送信されたメッセージが入力される通信制御部と、
前記メッセージ内に古い電話番号として記載された電話番号が、前記メッセージの送信元のユーザの情報として前記アドレス帳内に登録済みの電話番号と一致する場合に、前記アドレス帳内に登録済みの電話番号を、前記メッセージ内で古い電話番号として記載された電話番号で上書きする制御部とを備えた
携帯電話端末。
【請求項７】
現在使用中の第１の電話番号に関する情報を記載した第１の加入者識別カードを装着可能な第１の加入者識別カードインタフェース部と、
前記現在使用中の電話番号の前に使用していた第２の電話番号に関する情報を記載した第２の加入者識別カードを装着可能な第２の加入者識別カードインタフェース部と、
前記第２の電話番号宛の電話を着信した場合又は前記第２の電話番号を宛先としたメッセージを受信した場合に、電話番号の変更を知らせる電話番号変更通知を生成するメッセージ生成部と、
前記メッセージ生成部で生成された電話番号変更通知を、前記第２の電話番号宛の電話の発呼元又は前記第２の電話番号を宛先としたメッセージの送信元に送信する送受信処理部とを備えた第１の携帯電話端末と、
他の携帯電話端末の利用者に関する情報を記したアドレス帳と、
前記他の携帯電話端末より送信された電話番号変更通知が入力される通信制御部と、
前記電話番号変更通知内に古い電話番号として記載された電話番号が、前記電話番号変更通知の送信元のユーザの情報として前記アドレス帳内に登録済みの電話番号と一致する場合に、前記アドレス帳内に登録済みの電話番号を、前記電話番号変更通知内で古い電話番号として記載された電話番号で上書きする制御部とを備えた
第２の携帯電話端末とを有する
電話番号変更通知システム。
【請求項８】
現在使用中の第１の電話番号の前に使用していた第２の電話番号宛の電話を着信した場合又は前記第２の電話番号を宛先としたメッセージを受信した場合に、電話番号の変更を知らせる電話番号変更通知を生成するステップと、
前記生成された電話番号変更通知を、前記第２の電話番号宛の電話の発呼元又は前記第２の電話番号を宛先としたメッセージの送信元に送信するステップとをコンピュータに実行させるための
プログラム。
【発明の詳細な説明】
【技術分野】
【０００１】
本発明は、携帯電話端末、電話番号変更通知システム及びプログラムに関し、特に電話番号変更時に電話番号変更通知を行う処理技術に関する。
【背景技術】
【０００２】
従来、携帯電話端末の買い換え等によって電話番号が変更した場合には、ユーザは、メール等を用いて電話番号の変更通知を行うことが多い。この場合、電話番号変更通知の宛先は、携帯電話端末内のアドレス帳に登録されている宛先の中から選択されるのが通常である。このため、電話番号変更通知を送りたい対象が大勢いる場合などには、ユーザが各対象に対して個別に変更の通知を行うと、作業にかかる時間が長くなってしまうという問題があった。
【０００３】
このような問題を解決するために、例えば特許文献１には、変更前の電話番号情報と電話番号変更通知を送信したい宛先の情報とを予め登録しておき、登録内容に基づいて電話番号変更通知を自動的に送信する技術が記載されている。
【特許文献１】特開２００３−６０７７８号公報
【発明の開示】
【発明が解決しようとする課題】
【０００４】
ところで、上述したような従来の技術では、電話番号変更通知の送信先の宛先は、ユーザのアドレス帳に登録済みの相手に限定される。従って、ユーザのアドレス帳に登録のない相手に対しては、電話番号変更通知を行うことができないという問題があった。この場合は、ユーザの変更前の古い電話番号のみを知っており、かつその人の連絡先情報がユーザのアドレス帳内に登録されていない人に対しては、ユーザによる電話番号変更通知が送られないことになる。よって、このようなユーザは、電話番号の変更を行ったユーザに対してコンタクトを取ることができなくなってしまうという問題があった。
【０００５】
また、特許文献１に記載の技術のように、事前に電話番号変更通知の送信先としての宛先情報を登録したとしても、電話番号変更通知の送信作業にかかる手間を軽減することはできないという問題があった。
【０００６】
このような問題は、携帯電話のキャリアが提供する電話番号通知サービスを利用することで解決することも可能である。このサービスを利用すれば、古い電話番号利用時に使用していたアドレス帳に登録されているメールアドレスに対して、新しい電話番号を通知するメールが送信されるようになる。ところが、この場合はキャリアによるサポートが必須となり、かつ、アドレス帳に登録されていない相手に対して、電話番号変更通知が送信されないという問題は、依然として解決されないままであった。
【０００７】
本発明はかかる点に鑑みてなされたものであり、キャリアによるサポートを要することなく、またユーザに手間をかけることなく、自動的に電話番号変更通知を送信できるようにすることを目的とする。
【課題を解決するための手段】
【０００８】
本発明の携帯電話端末は、現在使用中の第１の電話番号に関する情報を記載した第１の加入者識別カードを装着可能な第１の加入者識別カードインタフェース部と、現在使用中の第１の電話番号の前に使用していた第２の電話番号に関する情報を記載した第２の加入者識別カードを装着可能な第２の加入者識別カードインタフェース部とを備えた。また、第２の電話番号宛の電話を着信した場合又は第２の電話番号を宛先としたメッセージを受信した場合に、電話番号の変更を知らせる電話番号変更通知を生成するメッセージ生成部を備えた。さらに、メッセージ生成部で生成された電話番号変更通知を、第２の電話番号宛の電話の発呼元又は第２の電話番号を宛先としたメッセージの送信元に送信する送受信処理部とを備えるようにしたものである。
【０００９】
このようにしたことで、古い電話番号宛の着信又は古い電話番号を宛先としたメッセージの受信をトリガとして、自動的に電話番号変更通知が生成され、送信元に送信されるようになる。
【発明の効果】
【００１０】
本発明によると、古い電話番号宛の着信又は古い電話番号を宛先としたメッセージの受信をトリガとして、自動的に電話番号変更通知が生成され、送信元に送信されるため、ユーザの手間を削減することができる。
【発明を実施するための最良の形態】
【００１１】
以下、本発明の一実施の形態を、添付図面を参照して説明する。本実施の形態における携帯電話端末１００は、変更前の古い電話番号の情報と変更後の新しい電話番号の情報との両方を保持可能に構成してある。具体的には、現在使用中の新しい電話番号に関する情報が記載された、第１の加入者識別カードとしてのＳＩＭ（Subscriber Identity Module：加入者識別モジュール）カードと、古い電話番号に関する情報が記載された第２のＳＩＭカードとの両方を装着できるようにしている。
【００１２】
図１は、本実施の形態における携帯電話端末１００の内部構成例を示す図である。図１に示す構成は、電話番号変更通知の送信側の携帯電話端末と、電話番号変更通知の受信側の携帯電話端末の両方において共通する構成であるものとする。図１に示した携帯電話端末１００は、ＣＰＵ（Central Processing Unit）等で構成される制御部１を有し、制御部１は内部バス２０を介して各部と通信ができる構成としてある。制御部１は、携帯電話端末１００を構成する各部における動作を制御する。
【００１３】
内部バス２０には、ＲＯＭ（Read Only Memory）やＲＡＭ（Random Access Memory）よりなるメモリ２が接続されており、メモリ２には、制御部１での制御に必要なプログラムが記憶されているとともに、制御時に一時的に発生するデータが格納される。
【００１４】
また携帯電話端末１００は、図示せぬ基地局との間で電波の送受信を行うアンテナ３と、アンテナ３を介して行うデータの符号化・復号化処理や、音声信号やテキストデータ等のデータの送受信処理を行う通信制御部４とを備える。通信制御部４は、古い番号宛にかかってきた呼を着信した場合には、その呼を、送受信の処理を行う通信制御部４内部の送受信処理部に転送する。また、古い電話番号宛に送信されたショートメッセージを、後述するメッセージ蓄積部に出力する処理も行う。転送処理の詳細については後述する。
【００１５】
携帯電話端末１００は、携帯電話端末１００の周辺の音声を拾って音声信号に変換するマイクロフォン５と、音声信号を音声に変換するスピーカ６と、マイクロフォン５やスピーカ６を通して入出力される音声の送受信処理を行う音声処理部７とを備える。また、キーやダイヤル等で構成される操作入力部８と、ＬＣＤ（Liquid Crystal Display）等よりなる表示部９とを備える。
【００１６】
さらに携帯電話端末１００は、第１のＳＩＭカード１０が挿入される第１のＳＩＭカードインタフェース部（以下、Ｉ／Ｆ部と称する）１１と、第２のＳＩＭカード１２が挿入される第２のＳＩＭカードＩ／Ｆ部１３とを備える。第１のＳＩＭカード１０には現在使用中の電話番号に関する情報が記載されており、アドレス帳１０ａが格納されている。
【００１７】
第２のＳＩＭカード１２には、過去に使用していた電話番号、つまり更新前の古い電話番号に関する情報が記載されており、古い電話番号を使用時に使っていたアドレス帳１２ｂが格納されている。すなわち、電話番号の変更を行っていないユーザ（電話番号変更通知を受信する側のユーザ）が使用する携帯電話端末１００においては、第２のＳＩＭカードＩ／Ｆ部１３には、カードが挿入されないことになる。もしくは、このようなユーザが使用する携帯電話端末１００においては、第１のＳＩＭカードＩ／Ｆ部１１のみを備えさせる構成を適用してもよい。
【００１８】
また携帯電話端末１００は、ＧＳＭ（Global System for Mobile Communications）やＷ−ＣＤＭＡ（Wideband Code Division Multiple Access）の携帯電話同士でやりとりできるショートメッセージサービス（以下ＳＭＳと称する）を提供するＳＭＳ提供部１４と、半導体メモリ等で構成される記憶部１５とを備える。ＳＭＳ提供部１４はメッセージ生成部１４ａを含み、メッセージ生成部１４ａは、ユーザによる操作入力部８への入力内容に基づいてショートメッセージを生成する。またメッセージ生成部１４ａは、古い電話番号宛にかかってきた電話を着信したり、古い電話番号を宛先としたショートメッセージを受信した場合には、それらをトリガとして、ショートメッセージ形式の電話番号変更通知を生成する。記憶部１５は、メッセージ蓄積部１５ａを有し、メッセージ蓄積部１５ａには、他のユーザから送信されたショートメッセージや、ユーザが送信済みのショートメッセージが格納される。
【００１９】
次に、図２を参照して、電話番号変更通知に関わる処理を行う各部の構成について説明する。図２に示した通信制御部４は、第１のＳＩＭカード１０とのインタフェースを有し、第１のＳＩＭカード１０に記載の内容に基づいて音声信号やテキストデータの送受信処理を行う送受信処理部４ａを有する。通信制御部４はさらに、第２のＳＩＭカード１２とのインタフェースを備え、第２のＳＩＭカード１２に記載されている古い電話番号宛にかかってきた呼を、単回線Ｉ／Ｆ部４ｃを通して送受信処理部４ａに転送する内部転送部４ｂを備える。内部転送部４ｂは、古い電話番号を宛先として送信されたショートメッセージを、メッセージ蓄積部１５ａに出力する処理も行う。
【００２０】
また送受信処理部４ａは、内部転送部４ｃが古い電話番号を宛先として送信されたショートメッセージを受信した場合に、その情報をメッセージ生成部１４ａに伝送する。メッセージ生成部１４ａは、古い電話番号宛のショートメッセージの受信を検知すると、古い電話番号と新しい電話番号の両方の情報を記載した電話番号変更通知を生成し、電話番号変更通知を送受信処理部４ａに出力する。
【００２１】
次に、図３と図４を参照して、電話の着信をきっかけとして電話番号変更通知が送信される場合の処理の例を説明する。図３は、電話番号の変更を行ったユーザＢが使用する携帯電話端末１００と、ユーザＢに対して電話をかけるユーザＡが使用する携帯電話端末１００のそれぞれにおける動作を示すフローチャートである。ここでは、ユーザＡが、ユーザＢの古い電話番号に対して発信を行った場合を例に挙げて説明する。
【００２２】
まずユーザＡは、図４（ａ）に示したように、ユーザＢの古い電話番号Ｔｎ１である090-1000-0001を表示部９に表示させ、この番号に対して発呼する。これにより、ユーザＡの携帯電話端末１００よりユーザＢの電話番号が呼び出され（図３のステップＳ１）、その呼がユーザＢの携帯電話端末１００で着呼されることにより（ステップＳ２）、両携帯電話端末１００間で回線が接続される（ステップＳ３）。そして、接続された回線を通して、両ユーザ間での通話が行われる（ステップＳ４）。
【００２３】
次に、ユーザＢの携帯電話端末１００において、発信元の電話が固定電話であるか否かの判断がされ（ステップＳ５）、固定電話である場合には処理は終了となる。ここでは、ユーザＡが使用している電話は携帯電話端末１００であるため、“ＮＯ”が選択される。そして、呼に使用された電話番号が古い電話番号であるか否かが判断され（ステップＳ６）、発呼に用いられた電話番号が新しい電話番号であった場合には、処理は終了となる。
【００２４】
着信した呼における電話番号が新しい電話番号であった場合には、第２のＳＩＭカード１２とのインタフェースを有する内部転送部４ｃを介さずに、送受信処理部４ａで呼が受信される。すなわち、発呼に用いられた電話番号は、古い電話番号ではないことになる。従って、このような場合には、ステップＳ６では“ＮＯ”が選択される。
【００２５】
図４（ａ）に示した例では、発呼に用いられた電話番号は「090-1000-0001」であり、ユーザＢの古い電話番号であるため、“ＹＥＳ”が選択される。次に、ユーザＢの携帯電話端末１００において、呼が、呼を着信した内部転送部４ｃ（図２参照）から単回線Ｉ／Ｆ部４ｂを通して送受信処理部４ａに転送される（ステップＳ７）。そして、ＳＭＳ提供部１４内のメッセージ生成部１４ａ（図２参照）において、古い電話番号の情報と新しい電話番号の情報とを含んだ電話番号変更通知が生成され（ステップＳ８）、電話番号変更通知が、呼の発信元に送信される（ステップＳ９）。
【００２６】
図４（ｂ）に、電話番号変更通知の例を示してある。図４（ｂ）には、「電話番号を変更しました」というメッセージの下に、古い電話番号Ｔｎ１の情報が、「旧番号：090-1000-0001」のように、また新しい電話番号Ｔｎ２の情報が「新番号：090-1000-0002」のように記載されている。
【００２７】
呼の発信元であるユーザＡの携帯電話端末１００では、電話番号変更通知が送信されたときに電話が使用中であるか否かが判断され（ステップＳ１０）、電話の電源がオフされている場合など、電話が使用中でない場合にはここで処理が終了となる。電話が使用中である場合には電話番号変更通知を受信する（ステップＳ１１）。そして、ステップＳ１で呼び出しに用いた電話番号が、電話番号変更通知内に「古い番号（図４の例では「旧番号」）」として記載された番号と一致するか否かの判断がされる（ステップＳ１２）。
【００２８】
番号が一致しなかった場合には、処理は終了となる。図４（ａ）に示した例によれば、呼に用いた電話番号は、ユーザＢの古い電話番号Ｔｎ１であり、電話番号変更通知内に「旧番号」として記載された電話番号と一致するため、図３のステップＳ１２では“ＹＥＳ”が選択されるようになる。そして、制御部１の制御に基づいて、ユーザＡの携帯電話端末１００内のアドレス帳１０ａ内にユーザＢの連絡先として登録されている電話番号が、電話番号変更通知内に記載された「新しい番号（図４の例では「新番号」）」で上書きされる（ステップＳ１３）。
【００２９】
つまり、発呼元（ここではユーザＡ）の携帯電話端末１００においては、電話番号変更通知内に「古い電話番号」として記載された情報をキーとして、アドレス帳１０ａに記載の内容を更新するか否かの判断を行っている。すなわち、電話番号変更通知の送信側（ここではユーザＢ）では、キーとして用いられる情報として、古い電話番号を記載することを行っている。
【００３０】
図４（ｃ）に、電話番号変更通知受信前におけるユーザＡのアドレス帳１０ａ内のユーザＢの登録情報を示してあり、電話番号の欄にユーザＢの電話番号として、ユーザＢの古い電話番号Ｔｎ１である「090-1000-0001」が登録されていることが示されている。この電話番号を用いて電話をかけた結果ユーザＢより電話番号変更通知が送信され、図３のステップＳ１３の処理が行われることにより、ユーザＡのアドレス帳１０ａは、図４（ｄ）に示した内容に更新される。つまり、ユーザＢの電話番号が、ユーザＢの新しい電話番号Ｔｎ２である「090-1000-0002」に書き換えられる。
【００３１】
次に、図５のフローチャートを参照して、ショートメッセージの受信をきっかけとして電話番号変更通知が送信される場合の処理の例を説明する。図５は、電話番号の変更を行ったユーザＢが使用する携帯電話端末１００と、ユーザＢに対してショートメッセージを送るユーザＡが使用する携帯電話端末１００のそれぞれにおける動作を示すフローチャートである。ここでは、ユーザＡが、ユーザＢの古い電話番号を宛先としたショートメッセージをユーザＢに送った場合を例に挙げて説明する。
【００３２】
まず、ユーザＡより、電話番号の変更を行ったユーザＢに対してショートメッセージが送信されると（ステップＳ２１）、ユーザＢの携帯電話端末１００において、ショートメッセージが受信される（ステップＳ２２）。
【００３３】
そして、ユーザＢの携帯電話端末１００において、受信されたショートメッセージの宛先が、古い電話番号であるか否かが判断され（ステップＳ２３）、ショートメッセージの宛先が新しい電話番号であった場合には、処理は終了される。ショートメッセージの宛先が新しい電話番号であった場合には、第２のＳＩＭカード１２とのインタフェースを有する内部転送部４ｃを介さずに、送受信処理部４ａを通してメッセージが受信される。すなわち、ショートメッセージの宛先が古い電話番号ではないことになるため、ステップＳ２３では“ＮＯ”が選択される。
【００３４】
ここでは、ユーザＡから送信されたショートメッセージの宛先として、ユーザＢの古い電話番号が設定されていることを想定しているため、ショートメッセージは、内戦転送部４ａから単回線Ｉ／Ｆ部４ｂを介してメッセージ蓄積部１５ａに転送される。従って、ショートメッセージの宛先は古い電話番号であったと判断され、ステップＳ２３では“ＹＥＳ”が選択される。
【００３５】
続いて、ＳＭＳ提供部１４内のメッセージ生成部１４ａ（図２参照）において、古い電話番号の情報と新しい電話番号の情報とを含んだ電話番号変更通知が生成される（ステップＳ２４）。このときメッセージ生成部１４ａでは、メッセージ蓄積部１５ａに蓄積されたショートメッセージにおける送信元を、電話番号変更通知の送信先として設定する。そして、電話番号変更通知が、ショートメッセージの送信元に送信される（ステップＳ２５）。
【００３６】
ショートメッセージの送信元であるユーザＡの携帯電話端末１００では、電話番号変更通知を受信すると（ステップＳ２６）、電話番号変更通知内に「古い番号」として記載された番号が、ステップＳ２１で送信したショートメッセージにおける宛先の番号と一致するか否かの判断がされる（ステップＳ２７）。
【００３７】
番号が一致しなかった場合には、処理は終了となる。本例では、ユーザＡはユーザＢの古い電話番号を宛先に指定してショートメッセージを送っているため、電話番号変更通知内に「古い番号」として記載された番号と、ショートメッセージの宛先における電話番号とが一致する。従って、ステップＳ２７では“ＹＥＳ”が選択されるようになる。
【００３８】
次に、制御部１の制御に基づいて、ユーザＡの携帯電話端末１００内のアドレス帳１０ａ内でユーザＢの連絡先として登録されている電話番号が、電話番号変更通知内に「新しい番号」として記載された番号で上書きされる（ステップＳ２８）。
【００３９】
上述した実施の形態によれば、電話番号の変更を行ったユーザの使用する携帯電話端末１００において、古い電話番号宛に着信や古い電話番号を宛先としたショートメッセージの受信をトリガとして、電話番号変更通知が自動的に生成されるようになる。そして、その電話番号変更通知が、電話の発呼元もしくはショートメッセージの送信元に送信される。これにより、電話番号の変更を行ったユーザが、能動的に電話番号変更の通知を行う必要がなくなる。
【００４０】
すなわち、ユーザが電話番号変更通知を生成したり、電話番号変更通知の送信先を選択したりする手間を省くことができる。
【００４１】
また、上述した実施の形態によれば、古い電話番号宛に電話をかけてきた相手や、古い電話番号を宛先としたショートメッセージを送信してきた相手に対して、自動的に電話番号変更通知が送信される。従って、電話番号の変更を行ったユーザのアドレス帳に登録されていないユーザに対しても、電話番号変更通知が送信されるようになる。
【００４２】
また、上述した実施の形態によれば、携帯電話の通信サービスを提供するキャリアや、オペレータ等の手を介することなく、自動的に電話番号変更通知が送信されるようになる。
【００４３】
また、上述した実施の形態によれば、電話番号変更通知を受信した携帯電話端末１００において、アドレス帳１０ａに登録されている電話番号変更通知の送信元のユーザの電話番号が、自動的に新しい電話番号に書き換えられる。ユーザによって手動で電話番号変更通知が行われた場合や、キャリアのサービスによって電話番号通知が送信された場合には、電話番号変更通知を受信した側で、アドレス帳１０ａの登録内容を更新する作業を行う必要があるが、このような手間を省くことができる。
【００４４】
なお、上述した一連の処理は、ハードウェアにより実行させることもできるし、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで各種の機能を実行することが可能な、例えば汎用のコンピュータなどに、プログラム記録媒体からインストールされる。
【図面の簡単な説明】
【００４５】
【図１】本発明の一実施の形態による携帯電話端末の内部構成例を示すブロック図である。
【図２】本発明の一実施の形態による通信制御部の内部構成例を示すブロック図である。
【図３】本発明の一実施の形態による電話使用時の処理の例を示すフローチャートである。
【図４】本発明の一実施の形態による携帯電話端末の画面表示の例、電話番号変更通知の例及びアドレス帳における登録内容の例を示す説明図である。（ａ）は発呼側の携帯電話端末の表示画面の例を示し、（ｂ）は電話番号変更通知の例を示し、（ｃ）は更新前のアドレス帳の登録内容の例を示し、（ｄ）は更新後のアドレス帳の登録内容の例を示す。
【図５】本発明の一実施の形態によるショートメッセージ受信時の処理の例を示すフローチャートである。
【符号の説明】
【００４６】
１…制御部、２…メモリ、３…アンテナ、４…通信制御部、４ａ…送受信処理部、４ｂ…単回線Ｉ／Ｆ部、４ｃ…内部転送部、５…マイクロフォン、６…スピーカ、７…音声処理部、８…操作入力部、９…表示部、１０…第１のＳＩＭカード、１０ａ…アドレス帳、１１…第１のＳＩＭカードＩ／Ｆ部、１２…第２のＳＩＭカード、１２ａ…アドレス帳、１３…第２のＳＩＭカードＩ／Ｆ部、１４…ＳＭＳ提供部、１４ａ…メッセージ生成部、１５…記憶部、１５ａ…メッセージ蓄積部、２０…内部バス
【図１】
2009267727.tif 000003
【図２】
2009267727.tif 000004
【図３】
2009267727.tif 000005
【図４】
2009267727.tif 000006
【図５】
2009267727.tif 000007